(57)【特許請求の範囲】
【請求項１】
記録媒体に画像を形成する画像形成部と、画像形成後の記録媒体に画像を加熱定着させる定着部とを具備する画像形成装置において、
前記定着部による加熱定着後の記録媒体を搬送する搬送部材と、
前記搬送部材によって搬送される記録媒体に吹き出し口から冷却風を送る冷却手段と、
を備え、
前記搬送部材の下流側近傍であって、画像形成装置の排出口に検知手段を設け、
搬送される記録媒体の先端の前記検知手段による検知に基づき前記冷却手段を制御するとともに、搬送される記録媒体の後端の検知に基づいて排紙の完了を判断することを特徴とする画像形成装置。
【請求項２】
前記搬送部材は、２組の搬送ローラ対からなることを特徴とする請求項１に記載の画像形成装置。
【請求項３】
前記冷却手段は、前記２組の搬送ローラ対の間に配置されていることを特徴とする請求項１又は２に記載の画像形成装置。
【請求項４】
前記定着部と前記搬送部材の間に記録媒体を搬送するための搬送路を設け、
前記搬送路は、両面印刷を行なうための両面搬送路にも接続されて、スイッチバック路として使用され、
両面印刷モードの片面印刷済み記録媒体は、スイッチバック路への搬入期間と、スイッチバック路からの搬出期間に、冷却されることを特徴とすることを特徴とする請求項１から３のいずれかに記載の画像形成装置。 
【発明の詳細な説明】
【技術分野】
【０００１】
本発明は、電子写真方式の複写機、プリンタ、ファクシミリ装置等の画像形成装置に関し、特に定着部によって加熱された用紙を冷却する画像形成装置に関する。
【背景技術】
【０００２】
電子複写式の画像形成装置においては、感光体上に形成したトナー像を転写部で用紙に転写させるようになっている。トナー像が転写された用紙は定着部に送られ、この定着部で熱と圧力が加えられることにより、トナー像が用紙に定着される。この後、用紙は排紙部から排紙トレイに排出され、排紙トレイ上に積載されていく。
【０００３】
しかし、用紙を冷却せずに、そのまま排出すると、排紙トレイ上に積載した用紙が十分に冷却されず、温度が高いために、排紙トレイ上に積載した用紙の隣り合った面がトナーにより接着されてしまう現象が発生していた（以後、この現象をスティッキング現象という）。このスティッキング現象は、特に、両面印刷の際に、高速印刷の際に、及び、低融点トナーを使用した印刷の際に、顕著であった。
【０００４】
このスティッキング現象を緩和するには、定着部から排紙トレイまでの搬送路長を長くして、冷却の時間を稼ぐことが考えられるが、昨今のように、画像形成装置の小型化が進んできたため、この方式も採用できなくなってきた。
【０００５】
そこで、搬送路中で、定着器通過後の用紙に空気を吹き付けて用紙を冷却することが行われている（以下の特許文献１，２参照）。
【先行技術文献】
【特許文献】
【０００６】
【特許文献１】特開平４−３４５１８７号公報
【特許文献２】特開平８−１７１３３８号公報
【発明の概要】
【発明が解決しようとする課題】
【０００７】
ところが、特許文献１及び特許文献２に記載された画像形成装置では、搬送路中の用紙に対する空気の吹き付けタイミングや風量が考慮されていないので、用紙に空気を吹き付けることによって、用紙先端が捲れたり、用紙先端がローラ対のニップに適切に入らず用紙の折れ破損等が生じてしまったり、ジャムが生じてしまったりするといった用紙の搬送性への影響が考慮されていない。
【０００８】
本発明は、上述のごとき事情に鑑みてなされたもので、搬送路中で用紙に空気を吹き付けて冷却して、用紙を早期に冷却し、排紙トレイ上でのスティッキング現象を防止すると共に、搬送路中での用紙への空気の吹き付けにより用紙の搬送性に影響して、用紙の捲れ、用紙の折れ、用紙の破損、及び用紙のジャムを防止することのできる画像形成装置を提供することである。
【課題を解決するための手段】
【０００９】
本発明は、記録媒体に画像を形成する画像形成部と、画像形成後の記録媒体に画像を加熱定着させる定着部とを具備する画像形成装置において、
前記定着部による加熱定着後の記録媒体を搬送する搬送部材と、前記搬送部材によって搬送される記録媒体に吹き出し口から冷却風を送る冷却手段と、を備え、
前記搬送部材の下流側近傍であって、画像形成装置の排出口に検知手段を設け、搬送される記録媒体の先端の前記検知手段による検知に基づき前記冷却手段を制御するとともに、搬送される記録媒体の後端の検知に基づいて排紙の完了を判断することを特徴とするものである。
【００１０】
また、前記搬送部材は、２組の搬送ローラ対からなることを特徴とする。
【００１１】
また、前記冷却手段は、前記２組の搬送ローラ対の間に配置されていることを特徴とする。
【００１２】
また、前記定着部と前記搬送部材の間に記録媒体を搬送するための搬送路を設け、前記搬送路は、両面印刷を行なうための両面搬送路にも接続されて、スイッチバック路として使用され、両面印刷モードの片面印刷済み記録媒体は、スイッチバック路への搬入期間と、スイッチバック路からの搬出期間に、冷却されることを特徴とする。
【発明の効果】
【００２８】
本発明によれば、記録媒体の冷却のために空気を吹き付けても、搬送部材により記録媒体が搬送されているので、空気の吹付けによる記録媒体の搬送性の不良（記録媒体の捲れ、記録媒体の折れ、ジャム等）が生じ難い。
【図面の簡単な説明】
【００２９】
【図１】本発明の実施の形態に係る画像形成装置の構成を表す概略断面図である。
【図２】第２搬送路における冷却機構の第１実施形態を示す構成図である。
【図３】第２搬送路における冷却機構の第１実施形態を示す斜視図である。
【図４】第１実施形態の冷却ダクトを示す図であり、（ａ）は平面図、（ｂ）はＡ−Ａにおける断面図である。
【図５】画像形成装置の冷却機構に関するブロック図である。
【図６】用紙への冷却の手順を示すフローチャートである。
【図７】片面印刷モード、あるいは両面印刷モードの両面印刷済みの場合の用紙搬送と冷却を示す説明図である。
【図８】両面印刷モードの片面側印刷の場合の用紙搬送と冷却を示す説明図である。
【図９】第２搬送路における冷却機構の他の冷却手順である第２実施形態を示すフローチャートである。
【図１０】第２搬送路における冷却機構の第３実施形態を示す構成図である。
【発明を実施するための形態】
【００３０】
以下添付図面を参照しながら、本発明の実施の形態について説明する。尚、以下の実施の形態は、本発明を具体化した一例であって、本発明の技術的範囲を限定する性格のものではない。
【００３１】
ここに、図１は本発明の実施の形態に係る画像形成装置Ｘの構成を表す概略断面図である。
まず、図１を用いて、本発明の一実施形態に係る画像形成装置Ｘの構成について説明する。画像形成装置Ｘは、複写機能及びプリンタ機能を併せ持つ複合機である。
本画像形成装置Ｘは、印刷モードとしてコピアモード（複写モード）、プリンタモード、ＦＡＸモードを有しており、不図示の操作部からの操作入力や、パーソナルコンピュータ等の外部ホスト装置からの印刷ジョブの受信に応じた印刷モードが、図１に不図示の制御部（後述する図５の制御部１０１）によって選択される。
【００３２】
図１に示すように、本画像形成装置Ｘは、大きく分けて、最上部の原稿読み取り部１と、その下方に配置されたプリンタ部（画像形成部）２と、そのさらに下方に配置された給紙ユニット部３とを備えている。
【００３３】
原稿読み取り部１は、装置の外装前面部に配置される操作パネル（不図示）上の条件入力キー（印刷枚数／印刷倍率等々）の入力後に、操作パネルのスタートキーが操作されるとコピー動作を開始し、プラテンガラス３１上に載置された原稿の画像を読み取る。即ち、コピーランプユニット３２のコピーランプ３２ａ（光源）が点灯し、コピーランプユニット３２が水平移動しながら原稿への露光が開始される。コピーランプ３２ａにより原稿に照射された照射光は、原稿の画像情報を含む反射光（原稿からの反射光）となり、該反射光は、コピーランプユニット３２に設けられた第１ミラー３２ｂから第２ミラー３３、第３ミラー３４、光学レンズ３５から、ＣＣＤ３６へ入力されることによって読み取られる。
【００３４】
このようにして読み取られた画像情報は、不図示の制御部が備えるＣＣＤ回路で、光の画像情報が電気的信号に変換され、その画像情報信号は、設定された条件で画像処理が行われ、光走査ユニット６へプリントデータとして送信される。
【００３５】
プリンタ部２は、記録媒体（用紙）に現像剤（トナー）による画像形成を行う電子写真プロセス部２０と、画像形成後の記録媒体を定着ローラ２１ａ（加熱ローラ）と加圧ローラ２１ｂとの間に挟み込むことにより、記録媒体に像（トナー像）を加熱定着する定着ユニット２１（定着部）とを具備している。この定着ローラ２１ａの内部には、ヒータが設けられており、このヒータへの供給電力は、定着ローラ２１ａの温度を検出する温度センサ２１ｃの検出温度が所定の定着温度に維持されるように、不図示の制御部によって制御される。
【００３６】
電子写真プロセス部２０は電子写真プロセス部２０の略中央に配置され、感光体ドラム４と、これを中心としてその周囲に配置された、帯電ユニット５と、光走査ユニット６と、現像ユニット７と、転写ユニット８と、クリーニングユニット９とを具備している。
【００３７】
帯電ユニット５は、感光体ドラム４の表面を均一に帯電させるものであり、光走査ユニット６は、均一に帯電された感光体ドラム４上に光像を走査して静電潜像を書き込むものであり、現像ユニット７は、光走査ユニット６によりプリントデータに従って書き込まれた静電潜像を現像剤により顕像化するものである。
【００３８】
また、転写ユニット８は、感光体ドラム４上に記録再現された画像を記録用紙等の記録媒体上に転写するものであり、クリーニングユニット９は、感光体ドラム４上に残留した現像剤を除去して、感光体ドラム４上に新たな画像を記録することができるようにするものである。
【００３９】
なお、このクリーニングユニット９により除去された残留現像剤は、現像ユニット７の現像剤供給部１０に回収され、リサイクルされる。なお、本発明に係る画像形成装置は、このように残留現像剤をリサイクルするプロセスを備えているものに限定されるものではなく回収して廃棄する画像形成装置であってもよい。
【００４０】
また、給紙ユニット部３は、複数の記録媒体（記録用紙等）がセットされる給紙トレイ（記録媒体供給部）１１・１２・１３・１４を備え、これにより、記録媒体としての多彩な用紙を例えばサイズ毎に各給紙トレイ１１〜１４に分別して収容することができる。
【００４１】
給紙トレイ１１と給紙トレイ１２とは、互いに並列配置され、これらの下側に給紙トレイ１３が配置され、その下側に給紙トレイ１４が配置されている。ここで、給紙トレイ１３及び給紙トレイ１４の各容量は、同程度の容量に構成されている。これに対し、給紙トレイ１１及び給紙トレイ１２の容量は、給紙トレイ１３及び給紙トレイ１４の容量よりも大きく構成されている。
【００４２】
そして、給紙ユニット部３は、給紙トレイ１１〜１４に収容された用紙（記録媒体）をプリンタ部２に向かって搬送するために、第４搬送路１５と第５搬送路１６とを備えている。この第４搬送路１５は、給紙トレイ１１・１３・１４に収容された用紙をプリンタ部２に向かって搬送するものであり、第５搬送路１６は、給紙トレイ１２に収容された用紙をプリンタ部２に向かって搬送するものである。
【００４３】
また、第４搬送路１５は、給紙ユニット部３のフレーム１７に沿って略鉛直方向に延びている。一方、第５搬送路１６は、フレーム１７に沿って略水平方向に延びている。このようにして給紙ユニット部３の内部には、給紙トレイ１１〜１４と、第４搬送路１５と、第５搬送路１６とが効率よく配置され、給紙ユニット部３の省スペース化が実現されている。
【００４４】
なお、各給紙トレイ１１〜１４に用紙をセットする場合は、当該画像形成装置Ｘ本体の前面側方向に目的の給紙トレイ１１〜１４を引き出して用紙の補給を行う。
【００４５】
当該画像形成装置Ｘにおいて記録媒体に画像形成が行われる際には、給紙トレイ１１〜１４の中から１つのトレイが選択され、選択されたトレイから用紙が１枚ずつ分離して搬出される。
【００４６】
給紙トレイ１１〜１４から搬出（供給）された用紙（記録媒体）は、第４若しくは第５搬送路１５、１６を経由後、第３搬送路４１を上方向へ搬送されて感光体ドラム４と転写ユニット８との間に供給される。そして、供給された用紙に、転写ユニット８によって感光体ドラム４上に記録再現された画像が転写される。画像形成後の用紙は、さらに上方に配置された定着ユニット２１（定着部）に搬送され、該定着ユニット２１においてトナー像が加熱定着される。
【００４７】
そして、前記定着ユニット２１による加熱定着後の用紙は、第１搬送路（定着直後搬送路）４２内に送出されることによってさらに上方向へ導かれ、さらに、前記定着ユニット２１の上方に配置された第２搬送路４３へ搬送される。第２搬送路４３は、後述するように、排出搬送路であり、かつ両面印刷におけるスイッチバック搬送路でもある。
【００４８】
前記第２搬送路４３は、前記第１搬送路４２を通過した用紙（加熱定着後の用紙）を略水平方向へ方向転換させて搬送する経路であり、これにより用紙の装置外の排紙トレイ２ａへの排出若しくは後処理装置（不図示）への送出がなされる、又は用紙がスイッチバックにより第６搬送路（両面搬送路）４４へ再循環されて用紙両面への画像形成が行われる。
【００４９】
本画像形成装置Ｘのように、用紙を上方向に搬送しながら加熱定着を行うタイプの場合、用紙が上昇する（上方向へ搬送される）とともに、前記定着ユニット２１で発生する高温の空気も上昇するため、加熱定着後の用紙が冷却されにくい。さらに、前記原稿読み取り部１（前記画像読み取り手段の一例）における前記コピーランプユニット３２の停止位置となる部分は、前記第１搬送路４２及び第２搬送路４３の上方（即ち、前記定着ユニット２１の上方）に配置されているため、前記定着ユニット２１による加熱空気が上昇することにより異常高温となりやすく、これが前記コピーランプユニット３２の故障の原因となる。
【００５０】
そこで、本画像形成装置Ｘは、前記第２搬送路４３と前記原稿読み取り部１の前記コピーランプユニット３２（の停止位置）部分との間に排気ダクト５１が配置され、これを通じて前記第２搬送路４３の上方の空気が強制排気されるよう構成されている。即ち、前記第２搬送路４３の上方の空気は、前記排気ダクト５１によってその下方に設けられた開口から画像形成装置Ｘの側面（図１に向かって左側の側面）へ導かれ、その側面に設けられた排気ファン５２によって装置外（他の位置）へ強制排気される（前記排気ダクト５１及び前記排気ファン５２が前記排気手段の一例）。
【００５１】
前記排気ダクト５１は、前記定着ユニット２１に対しては、前記第２搬送路４３を介して配置されるので、該第２搬送路４３及びそれを通過する用紙が前記定着ユニット２１周囲の空気の移動に対する遮蔽部材の役割を果たし、従来のように前記定着ユニット２１の近傍に排気ダクトを配置する場合に比べ、前記定着ユニット２１から必要以上に熱を奪う（冷却する）ことがなく、定着温度を維持するために前記定着ユニット２１（の加熱ヒータ）の消費電力が増大することがない。
【００５２】
なお、本実施の形態における前記排気ダクト５１は、前記第２搬送路４３の上方の位置から装置外（側面）へ空気を導くものであるが、スペース的に許されるのであれば、例えば、前記第２搬送路４３の上方の位置の空気の全部又は一部を前記定着ユニット２１（前記他の位置の一例）へ循環させるよう構成して前記定着ユニット２１の更なる省電力化を図ること等も考えられる。
ここで、前記排気ダクト５１は、前記原稿読み取り部１（画像読み取り手段）を支持する支持部材５０により形成されている。
【００５３】
第２搬送路４３には、用紙を冷却するための冷却機構が備えられており、以下に詳しく説明する。
【００５４】
＜第１実施形態＞
図２は、第２搬送路４３における冷却機構の第１実施形態を示す構成図、図３は第２搬送路４３における冷却機構の第１実施形態を示す斜視図、図４は第１実施形態の冷却ダクトを示す図である。図４（ａ）は平面図、図４（ｂ）はＡ−Ａにおける断面図である。
【００５５】
図２に示すように、各搬送路４２，４３，４４は、上搬送ガイド７１と下搬送ガイド７２からなり、用紙Ｐが上搬送ガイド７１と下搬送ガイド７２の間を搬送される。第２搬送路４３には、所定の間隔で第１搬送ローラ対６０と第２搬送ローラ対６３が備えられており、第２搬送ローラ対６３の先が用紙の排出口８０となっている。第１搬送ローラ対６０のニップと第２搬送ローラ対６３のニップとの間隔Ｌ１は、使用する最小用紙長よりも短くしてある。第１搬送ローラ対６０は上側の従動ローラ６１と下側の駆動ローラ６２で構成され、第２搬送ローラ６３は上側の従動ローラ６４と下側の駆動ローラ６５で構成されている。図３に示すように、第１搬送ローラ対６０及び第２搬送ローラ６３は、ローラの回転軸方向（用紙幅方向）にそれぞれ２組備えられている。用紙Ｐは、従動ローラ６１，６４と駆動ローラ６２，６５に挟持されて、駆動ローラ６２，６５の回転駆動により排出口８０へ搬送される。
【００５６】
また、図２に示すように、第１搬送路４２と第２搬送路４３の接続部から第１搬送ローラ対６０まで、少なくとも所定長Ｌ２だけ水平方向に平坦部が設けられている。これは、第２搬送路４３に沿って冷却風が上流側に流れやすいようにして、上流側から搬送されてくる用紙の冷却効果を上げようとするものである。
【００５７】
また、第２搬送路４３には、定着ユニット２１から用紙を搬送する第１搬送路４２と、用紙をスイッチバックして再循環させて用紙の裏面印刷を行なうための第６搬送路４４が接続されている。そして、この接続部分にゲート７３が取り付けられている。ゲート７３は、回動自在に取り付けられており、図２に示すように、上方向に回動して搬送路４２と搬送路４３を連通させ（ゲート７３のこの位置を第１ポジションとする）、また下方向に回動して搬送路４３と搬送路４４を連通させて（ゲート７３のこの位置を第２ポジションとする）、用紙を案内可能になっている。
【００５８】
第１搬送ローラ対６０の上流側には第１用紙センサ７４が備えられ、第２搬送ローラの下流側には第２用紙センサ７５が備えられている。これら用紙センサ７４，７５は、第２搬送路４３を挟んで上下に発光部と受光部を有しており、搬送路内の用紙の有無を検知する。第１用紙センサ７４は、用紙のスイッチバックのタイミングセンサを共用している。第２用紙センサ７５は、用紙の搬送後端を検知することで、排紙の完了を検知する。
なお、用紙センサは、アクチュエータ式等の他の検知方式のセンサでもよい。
【００５９】
第２の搬送路４３には、冷却機構７６が備えられており、搬送される用紙に冷却風を吹き付けて冷却する。冷却機構７６は、冷却ファン７７と冷却ダクト７８からなる。
冷却ダクト７８は、第１搬送ローラ対６０と第２搬送ローラ対６３の間に配置され、外部からの空気を、搬送されている用紙Ｐへ導く。図３及び図４に示すように、冷却ダクト７８は、矩形上の枠体であり、長さは用紙の全幅（搬送方向に直交する方向の用紙幅）を冷却できるサイズを有している。冷却ダクト７８は、図４に示すように搬送方向にリブ８３が形成されて断続的に開口して空気吹き出し口７９を形成する構造となっており、リブ８３が搬送ガイドも兼ねている。図２に示すように、上搬送ガイド７１は、冷却ダクト７８の設置部分が開口しており、ここから冷却ダクト７８に案内された冷却空気が送り込まれて第１搬送ローラ対６０に挟持されている用紙が冷却される。空気は装置外部から取り入れられ、冷却ファン７７により冷却ダクト７８に送り込まれる。
【００６０】
図５は、画像形成装置の冷却機構に関するブロック図である。画像形成装置は、前述のように制御部１０１によって制御される。すなわち、制御部１０１は、用紙センサ７４，７５による検出値や記憶部１０２に予め登録された設定値に従って、搬送ローラ対６０，６３、用紙センサ７４，７５、ゲート７３、冷却ファン７７を制御する。また、後述するタイマーＴ１，Ｔ２を設定する。
【００６１】
次に、冷却機構による冷却動作について説明する。
図６は用紙への冷却の手順を示すフローチャート、図７は、片面印刷モード、あるいは両面印刷モードの両面印刷済みの場合の用紙搬送と冷却を示す説明図、図８は両面印刷モードの片面側印刷の場合の用紙搬送と冷却を示す説明図である。
ここで、用紙Ｐが第１搬送ローラ対６０と第２搬送ローラ対６３に挟持されたときの最大送風量を第１の風量として、これを基準にこれより弱い送風量を第２の風量として説明する。
【００６２】
図７（ａ）に示すように、用紙搬送を開始するにあたり、制御部１０１は、ゲート７３を上方に回動し第１ポジションとして第６搬送路４４を閉じ、第１搬送路４２と第２搬送路４３を連通させ、定着ユニット２１を通過した用紙が第１搬送路４２から第２搬送路４３へ用紙の搬送が開始される（ステップＳ１）。このとき、冷却機構７６による送風は停止されている。第１用紙センサ７４が用紙先端を検知した場合（ステップＳ２；Ｙｅｓ）、その検出信号を受けた制御部１０１は、タイマーＴ１をセットする（ステップＳ３）。第１用紙センサ７４が第１搬送ローラ対６０のニップよりも上流で冷却ダクト７８の外側に配置されているため、第１搬送ローラ対６０のニップに用紙先端が噛み込むための時間をタイマーＴ１とするものである。タイマーＴ１のセット値は、予め記憶部１０２に登録されており、制御部１０１はそれを記憶部１０２から読み出してタイマーＴ１をセットする。
【００６３】
タイマーＴ１をスタートさせ（ステップＳ４）、タイマーＴ１がセット値（所定時間）をカウントアップした場合（ステップＳ５；Ｙｅｓ）、図７（ｂ）に示すように、制御部１０１は、所定の回転速度で冷却ファン７７の回転を開始して、弱い送風量（第２の風量）で送風を開始する（ステップＳ６）。この場合の風量を確保する冷却ファン７７の回転速度などの設定値は記憶部１０２に予め記憶されており、この値を制御部１０１が読み出して冷却ファン７７を駆動する。第２の風量の設定値は、用紙の搬送不良を生じない値に設定されている。こうして、第１搬送ローラ対６０に用紙が挟持された状態で送風を開始し、しかも送風量も弱いので、第１搬送ローラ対６０のニップに用紙が挟持されるときに送風による用紙の捲れ等が生じにくく、搬送性の不良を防止できる。
【００６４】
また、この送風量とは、用紙の種類（用紙サイズ、用紙厚さ、用紙の目（繊維方向が搬送方向に対して平行か直交か等））に応じた値であり、これにより用紙の搬送性の不良を防止する。この場合の冷却ファン７７の回転速度などの設定値は記憶部１０２に予め記憶されており、この値を制御部１０１が用紙の種類に応じて読み出して冷却ファン７７を駆動する。用紙種類については、給紙トレイに用紙を収容する際に、ユーザが操作部から入力してもよいし、検出センサにて検出して制御部１０１が自動的に設定してもよい。
【００６５】
用紙搬送を継続し、図７（ｃ）に示すように、第１搬送ローラ対６０と第２搬送ローラ対６３とに、用紙Ｐが挟持された状態となる。そして、第２用紙センサ７５が用紙先端を検知したかを制御部１０１が確認する（ステップＳ７）。制御部１０１は、用紙先端を検知したことを確認したとき（ステップＳ７；Ｙｅｓ）、冷却ファン７７の回転速度を高速に切り替えて、送風量を更に増加させて第１の風量とし、単位時間当たりの送風量を大にする（ステップＳ８）。こうして、さらに冷却効果を高めるとともに、第１搬送ローラ対６０と第２搬送ローラ対６３の両方で用紙を挟持しているので、用紙を安定して搬送できる。この場合の冷却ファン７７の回転速度についても、記憶部１０２に予め登録されており、制御部１０１はこの値に従って冷却ファン７７を駆動する。
【００６６】
次に図７（ｄ）に示すように、第１用紙センサ７４が用紙Ｐの後端を検知したかを制御部１０１が確認する（ステップＳ９）。用紙Ｐの後端を検知した場合（ステップＳ９；Ｙｅｓ）、制御部１０１が片面印刷モードか否かを確認する（ステップＳ１０）。片面印刷モードであれば（ステップＳ１０；Ｙｅｓ）、タイマーＴ２をセットする（ステップＳ１１）。ここでタイマーＴ２は、用紙が吹き出し口７９を通過するまでの時間である。制御部１０１は、タイマーＴ２をスタートさせ（ステップＳ１２）、タイマーＴ２がアップしたかを確認する（ステップＳ１３）。図７（ｅ）に示すように、タイマーＴ２がセット値をカウントアップするまでは、第１の風量で送風を継続する。タイマーＴ２がセット値をカウントアップした場合（ステップＳ１３；Ｙｅｓ）、図７（ｆ）に示すように、用紙Ｐが吹き出し口７９を通過したので送風を中断する（ステップＳ１４）。
【００６７】
印刷すべき全用紙が吹き出し口７９を通過したかを確認し（ステップＳ１５）、全用紙が吹き出し口７９を通過していれば処理を終了し、通過していなければステップＳ２に戻って残りの用紙Ｐの搬送を行なう。
【００６８】
また、ステップＳ１０において、片面印刷モードではない場合、ステップＳ１６にて両面印刷モードの片側用紙Ｐであるかを確認する。両面印刷モードの片側用紙Ｐでない場合は、ステップＳ１１に進み、タイマーＴ２をセットする。両面印刷モードの片側用紙Ｐであれば、第１搬送ローラ対６０と第２搬送ローラ対６３を停止し（ステップＳ１７）、図８（ａ）に示すように、ゲート７３を下方に回動し、第２ポジションにし（ステップＳ１８）、第２搬送路４３と第６搬送路４４を連通させる。そして、図８（ｂ）に示すように、第１搬送ローラ対６０と第２搬送ローラ対６３を逆転駆動する（ステップＳ１９）。図８（ｃ）に示すように、用紙Ｐが第２搬送ローラ６３を通過して第１搬送ローラ６０のみに挟持されている状態であっても、制御部１０１は冷却ファン７７を第１の風量で駆動を続ける。制御部１０１は、図８（ｄ）に示すように、第１用紙センサ７４が用紙後端を検知したかを確認し（ステップＳ２０）、用紙後端を検知した場合にステップＳ１４に進む。
【００６９】
こうして、用紙先端が第１搬送ローラ対６０のニップに挟持される前は、送風を停止し、第１搬送ローラ対６０に用紙が挟持された場合は、冷却機構により弱い送風量（第２の風量）で冷却を開始し、第１及び第２搬送ローラ６０，６３に用紙が挟持されたときに最大送風量（第１の風量）で冷却風を当てることで、冷却風により用紙が捲れる等で用紙の搬送不良が生じるのを防止しつつ、用紙の冷却を行うことができる。両面印刷モードの片面印刷済み用紙は、スイッチバック路への搬入とスイッチバック路からの搬出時の両方の期間に、冷却されるので、用紙を十分に冷却でき、機内に熱が蓄積されない。また、冷却機構を第２搬送路４３に備えて、定着部２１から離れているので、冷却風の影響が少なくて済む。
【００７０】
＜第２実施形態＞
図９は、第２搬送路４３における冷却機構の他の冷却手順である第２実施形態を示すフローチャートである。
図６に示す冷却手順では、当初は送風を停止していたが、この実施形態では、第２の風量で送風が行われている。従って、図６のタイマーＴ１に関する部分（ステップＳ３〜Ｓ６）は不要である。
【００７１】
用紙搬送を開始するにあたり、制御部１０１は、ゲート７３を上方に回動し第１ポジションとして第６搬送路４４を閉じ、第１搬送路４２と第２搬送路４３を連通させ、定着ユニット２１を通過した用紙が第１搬送路４２から第２搬送路４３へ用紙の搬送が開始される（ステップＳ３１）。このとき、制御部１０１は、記憶部１０２から第２の風量で冷却ファン７７を駆動する値を読み出して、冷却機構７６の冷却ファン７７を第２の風量で送風開始させる（ステップＳ３２）。第１搬送ローラ対６０に用紙Ｐが挟持される前から送風が行われているので、第２の風量は、搬送不良を起こさないように図６の場合よりも弱く設定してもよい。
【００７２】
制御部１０１は、第２用紙センサ７５が用紙先端を検知したかを確認し（ステップＳ３３）、検知していれば第１の送風量に切り替える（ステップＳ３４）。用紙搬送を継続し、第１用紙センサ７４が用紙Ｐの後端を検知したかを制御部１０１が確認する（ステップＳ３５）。用紙Ｐの後端を検知した場合（ステップＳ３５；Ｙｅｓ）、制御部１０１が片面印刷モードか否かを確認する（ステップＳ３６）。片面印刷モードであれば（ステップＳ３６；Ｙｅｓ）、タイマーＴ２をセットする（ステップＳ３７）。ここでタイマーＴ２は、用紙が吹き出し口７９を通過するまでの時間である。制御部１０１は、タイマーＴ２をスタートさせ（ステップＳ３８）、タイマーＴ２がカウントアップしたかを確認する（ステップＳ３９）。タイマーＴ２がセット値をカウントアップするまでは、第１の風量で送風を継続する。タイマーＴ２がセット値をカウントアップした場合（ステップＳ３９；Ｙｅｓ）、用紙Ｐが吹き出し口７９を通過したので、制御部１０１は送風を第２の風量に切り替える（ステップＳ４０）。
【００７３】
印刷すべき全用紙が吹き出し口７９を通過したかを確認し（ステップＳ４１）、全用紙が吹き出し口７９を通過していれば処理を終了し、通過していなければステップＳ３３に戻って残りの用紙Ｐの搬送を行なう。
【００７４】
また、ステップＳ３６において、片面印刷モードではない場合、ステップＳ４２にて両面印刷モードの片側用紙Ｐであるかを確認する。両面印刷モードの片側用紙Ｐでない場合は、ステップＳ３７に進み、タイマーＴ２をセットする。両面印刷モードの片側用紙Ｐであれば、第１搬送ローラ対６０と第２搬送ローラ対６３を停止し（ステップＳ４３）、ゲート７３を下方に回動し、第２ポジションにし（ステップＳ４４）、第２搬送路４３と第６搬送路４４を連通させる。そして、第１搬送ローラ対６０と第２搬送ローラ対６３を逆転駆動する（ステップＳ４５）。用紙Ｐが第２搬送ローラ６３を通過して第１搬送ローラ６０のみに挟持されている状態であっても、制御部１０１は冷却ファン７７を第１の風量で駆動を続ける。制御部１０１は、第１用紙センサ７４が用紙後端を検知したかを確認し（ステップＳ４６）、用紙後端を検知した場合にステップＳ４０に進む。
【００７５】
こうして、冷却機構により弱い送風量（第２の風量）で冷却を開始して用紙の搬送を開始し、第１及び第２搬送ローラ６０，６３に用紙が挟持されたときに最大送風量（第１の風量）で冷却風を当てることで、冷却風により用紙が捲れる等で用紙の搬送不良が生じるのを防止しつつ、用紙の冷却を行うことができる。
【００７６】
＜第３実施形態＞
図１０は、第２搬送路４３における冷却機構の第３実施形態を示す構成図である。
図２の第１実施形態と同一部分には共通の符号を付す。第１実施形態と異なる部分は、冷却ダクト８１の形状であり、図１０に示すように冷却ダクト８１の搬送路側が上流側へ折れ曲がっている。従って、冷却風は冷却ダクトに沿って、第１搬送ローラ対６０から上流側へ送風される。冷却風の送風動作は、第１実施形態と同じであるので説明は省略する。
【００７７】
本実施形態では、搬送ローラ対に用紙が挟持された時点で、用紙の搬送方向とは逆向きに空気を吹き付けることになるので、用紙の搬送先端から上流に向けて空気が流れることになり、用紙の折れや捻れがさらに生じにくくなり、より安定的な搬送が可能となるとともに、冷却効果も高い。
【００７８】
なお、本発明は上記実施形態に限定されるものではなく、第２搬送路４３に設けた冷却機構は、定着後の搬送路であればよく、例えば第１搬送路（定着直後搬送路）４２や第６搬送路（両面搬送路）４４に設けても構わない。
【符号の説明】
【００７９】
Ｘ  画像形成装置
２０  電子写真プロセス部
２１  定着ユニット
４２  第１搬送路
４３  第２搬送路
４４  第６搬送路
５０  支持部材
６０，６３  搬送ローラ対
６１，６４  従動ローラ
６２，６５  駆動ローラ
７１  上搬送ガイド
７２  下搬送ガイド
７３  ゲート
７４，７５  用紙センサ
７６  冷却機構
７７  冷却ファン
７８  冷却ダクト
７９  空気吹き出し口
８０  排出口
８１  冷却ダクト
８３  リブ
【図１】
0005473519.tif 000002
【図２】
0005473519.tif 000003
【図３】
0005473519.tif 000004
【図４】
0005473519.tif 000005
【図５】
0005473519.tif 000006
【図６】
0005473519.tif 000007
【図７】
0005473519.tif 000008
【図８】
0005473519.tif 000009
【図９】
0005473519.tif 000010
【図１０】
0005473519.tif 000011